(57)【要約】リモコンを簡単に操作ができるリモコン装置、およびそのリモコン装置によって制御される機器が提供される。このリモコン装置は、複数次元に配列された制御項目における１つの次元の複数種類から１つを選択する切換手段と、複数次元に配列された制御項目における他の次元の複数種類から１つを選択する項目選択手段とを備え、切換手段の出力と項目選択手段の出力に応じてリモコンコードを発信する。リモコン装置により制御される機器は上述のリモコン装置からの信号に応じて制御項目を示す表示手段を備え、表示手段は第１のリモコンコードが発信される度に、項目選択手段で選択可能な項目を一定時間表示する。
2007519288.tif 000002
【特許請求の範囲】
【請求項１】
複数次元に配列された制御項目における１つの次元の複数種類から１つを選択する切換手段と、
前記複数次元に配列された制御項目における他の次元の複数種類から１つを選択する項目選択手段と、
を備え、
前記切換手段の出力と前記項目選択手段の出力に応じてリモコンコードを発信するリモコン装置。
【請求項２】
前記切換手段は第１のリモコンコードを出力し、
前記項目選択手段は第２のリモコンコードを出力する
請求項１記載のリモコン装置。
【請求項３】
前記切換手段の出力と前記項目選択手段の出力に応じて前記リモコンコードを決定する決定手段を更に備える請求項１記載のリモコン装置。
【請求項４】
前記切換手段は、一周する間に複数の接点を経由し、前記接点に接する度に、前記接点に割当てられた第１のリモコンコードを出力する請求項２記載のリモコン装置。
【請求項５】
制御項目を示す表示手段を更に備える請求項２記載のリモコン装置。
【請求項６】
前記表示手段は、前記第１のリモコンコードが発信される度に、前記項目選択手段で選択可能な項目を一定時間表示する表示する請求項５記載のリモコン装置。
【請求項７】
請求項２記載のリモコン装置からの信号に応じて前記制御項目を示す表示手段を備え、
前記表示手段は、前記第１のリモコンコードが発信される度に、前記項目選択手段で選択可能な項目を一定時間表示する
リモコン装置により制御される機器。
【発明の詳細な説明】
【技術分野】
【０００１】
本発明はリモコン装置およびそれにより制御される機器に関する。
【背景技術】
【０００２】
衛星デジタル放送や地上波デジタル放送が開始され、多チャンネルかつ多機能化が進んでいる。この様な放送を受像するテレビジョン受像機や受信機（ＩＲＤ）等では、操作するリモコン装置（以下リモコンとする）のボタンが非常に増加している。テレビジョン受像機や受信機（ＩＲＤ）に限らず、種々の機器においてもこのような傾向が生じている。その結果、リモコンを見ながら両手で操作しなければいけないという使い勝手の悪いものになってしまっている。
【０００３】
これに対して従来の解決方法は、いずれもリモコン装置側で複数のスイッチの組み合わせにより送信するリモコンコードを決定して送信するという方法をとっている。このような従来技術は、例えば、特開平１１−３１２４４１号公報や、特開平０７−１０７５６７号公報や特開平０７−３０９７２号公報に開示されている。
【発明の開示】
【０００４】
リモコン装置は
複数次元に配列された制御項目における１つの次元の複数種類から１つを選択する切換手段と、
複数次元に配列された制御項目における他の次元の複数種類から１つを選択する項目選択手段と、
を備え、
切換手段の出力と項目選択手段の出力に応じてリモコンコードを発信する。
【０００５】
リモコン装置により制御される機器は
上述のリモコン装置からの信号に応じて制御項目を示す表示手段を備え、
表示手段は、前記第１のリモコンコードが発信される度に、項目選択手段で選択可能な項目を一定時間表示する。
【発明を実施するための最良の形態】
【０００６】
しかしながら、従来提案されている解決方法は、リモコンのボタン数を減らすことができ操作が簡単にはなるものの、リモコンを見ながら操作しなければいけないという問題が依然残っている。
【０００７】
本発明は、上記課題を解決し、リモコンを見ずに片手で簡単にテレビジョン受像機の操作が可能なリモコン装置を提供することを目的とする。
【０００８】
以下、実施の形態とともに本発明を説明する。
【０００９】
（実施の形態１）
図１は、本発明の実施の形態１におけるリモコン装置の構成図である。図１において、リモコン１０は、回転式の切換スイッチ１と、項目選択ボタン２、３、４、５を備えている。尚、ディスプレイ６については後程説明する。
【００１０】
回転式の切換スイッチ１は、切換手段の一例である。この切換手段は回転式の切換スイッチ１に限られるものではなく、複数種類から１つを選択できる機能を有するスイッチであればよい。回転式の切換スイッチ１は回転を一周する間に複数の接点を経由し、その接点に接する時に接点毎に割り当てられた所定の信号または第１のリモコンコードを一回発信する。また、項目選択ボタン２、３、４、５は項目選択手段の一例である。項目選択手段としては、項目選択ボタン２、３、４、５に限られるものではなく、複数種類から１つを選択できるスイッチであればよい。
【００１１】
次に、図２は回転式の切換スイッチ１が発信するリモコンコードと、項目選択ボタン２、３、４、５と、リモコンによる制御項目の関係を示す。リモコン１０は、テレビジョン受像機等の機器の機能を２次元配列に配置した表の縦軸の項目選択を行うための手段である。なお、これらの選択内容はリモコンコードの受信機側で記憶され、テレビジョン受信機は第１のリモコンコードと第２のリモコンコードとの組み合わせに応じて指定された制御を実行する。
【００１２】
図２において、制御項目表２０は、リモコンによる制御項目が２次元に配列されている。縦軸２１は回転式の切換スイッチ１で決定され、それに応じて第１のリモコンコードとして所定の信号が送信される。横軸２２は項目選択ボタン２、３、４、５で決定され、それに応じて第２のリモコンコードとして所定の信号が送信される。
【００１３】
項目選択ボタン２のボタンが押されたときは「Ｊ」が指定され、項目選択ボタン３が押された時は「Ｋ」が指定され、項目選択ボタン４が押された時は「Ｌ」が指定され、項目選択ボタン５が押された時は「Ｍ」が指定される。そうして、それぞれに専用の第２のリモコンコードが発信される。
【００１４】
テレビジョン受像機は、第２のリモコンコードとして「Ｊ」から「Ｍ」の何れかのコードを受信した時、第１のリモコンコードとして「Ａ」から「Ｄ」の中で最後に受信したものとを組み合わせる。そうして、リモコン１０はテレビジョン受像機を動作すべき機能を特定し動作させる。
【００１５】
ここで、例えば、回転式の切換スイッチ１が操作されて縦軸２１の「Ｄ」を指定する第１のリモコンコードが発生され、項目選択ボタン２が操作されて横軸の「Ｊ」が指定されて第２のリモコンコードが発生された場合、リモコン１０からテレビジョン受像機に対して「消音」を実行するように制御する。
【００１６】
図３はテレビジョン受像機におけるディスプレイの表示例である。テレビジョン受像機のディスプレイ３１には、受像している映像３３が表示されている。リモコン１０によってテレビジョン受像機を制御する場合、制御項目３２もディスプレイ３１に表示される。ディスプレイ３１における制御項目３２の表示は、制御項目を示す表示手段の実現例である。
【００１７】
例えば、回転式の切換スイッチ１を回転させて、第１のリモコンコードが発信される度に、発信された第１のリモコンコードに応じた選択可能な項目が制御項目３２に表示される。図３では、制御項目３２として、「消音」、「音多」、「リコール」、「ビデオ」が表示されている場合を示している。これは、回転式の切換スイッチ１で図２の縦軸２１方向の位置が決定され、その位置の横軸に存在する制御項目として「消音」と「音多」と「リコール」と「ビデオ」とが存在しているという例である。
【００１８】
ところで、上述の制御項目３２をリモコン１０に表示させることも可能である。図１において、ディスプレイ６は図３の制御項目３２に相当する情報を表示する。リモコン１０がディスプレイ６を備えて制御項目を表示することで、ユーザーは手元で制御項目を確認することが可能になる。このディスプレイ６は、選択項目がわからなくなった時に、選択状況を知るための手段として機能する。ディスプレイ６における制御項目の表示は、制御項目を示す表示手段の実現例である。
【００１９】
なお、本発明は、上述の２つの操作に限定するリモコン装置に限られない。図１のリモコンと、一つのキーで一つの機能を動作させる従来のリモコンの方式と複合させてもよい。図４は、図１に示された方式と一つのキーで一つの機能を動作させる従来のリモコンの方式とを複合したリモコンを示す。
【００２０】
図４において、リモコン４０は、回転式の切換スイッチ４１と、項目選択ボタン４２、４３、４４、４５と、電源ボタン４６と、選局ボタン４７と、音量ボタン４８と、色指定ボタン４９と、決定ボタン５０とが備えられている。回転式の切換スイッチ４１は図１の回転式の切換スイッチ４と同様であり、同様の機能を果たす。項目選択ボタン４２、４３、４４、４５は図１の項目選択ボタン２、３、４、５と夫々同様であり、同様の機能を果たす。
【００２１】
電源ボタン４６はテレビジョン受像機の電源オンオフを制御する為のボタンであり、従来のリモコンにおける電源ボタンと同様である。選局ボタン４７はテレビジョン受像機での選局を制御する為のボタンであり、従来のリモコンにおける選局ボタンと同様である。音量ボタン４８はテレビジョン受像機での音量を制御する為のボタンであり、従来のリモコンにおける音量ボタンと同様である。色指定ボタン４９はデータ放送等で画面上での選択を指定する為のボタンであり、従来のリモコンにおける色指定ボタンと同様である。決定ボタン５０は種々の決定を指示する為のボタンであり、従来のリモコンにおける決定ボタンと同様である。
【００２２】
以上の説明では、リモコン１０による制御項目が２次元に配列されている場合を挙げている。そうして、図２において、縦軸２１は回転式の切換スイッチ１で決定されて第１のリモコンコードが送信され、横軸２２は項目選択ボタン２、３、４、５で決定されて第２のリモコンコードが送信される場合が挙げられている。本発明は、図２に示されたように制御項目が２次元に配置される場合に限定されることはなく、更に多次元或いは階層構造であっても良い。
【００２３】
なお、項目選択手段である項目選択ボタンは、片手で選択できる範囲の数にし、項目選択ボタンが押された時に始めて機能が動作するものとすることが望ましい。また、切替手段である回転式の切換スイッチで選択した縦軸の項目はメモリに記憶しておくように構成することも可能である。
【００２４】
また、上述の説明では、制御される機器としてテレビジョン受像機が挙げられている。しかし、本発明におけるリモコン装置によって制御される機器はテレビジョン受像機に限られることはない。本発明におけるリモコン装置によって制御される機器は、例えば、テレビジョン放送の受信機（ＩＲＤ）やオーディオ機器やその他のディスプレイ部を備えた各種機器であっても同様の効果が発揮される。即ち、家電製品にとどまらず様々な製品分野での用途に適用できる。
【００２５】
以上の説明から明らかな通り、本発明はリモコンを見ずに片手で簡単に操作ができるリモコン装置を提供することができる。また、本発明は、上記リモコンによって制御され、操作性の良い機器を提供することができる。
【産業上の利用可能性】
【００２６】
本発明のリモコン装置は、リモコンを見ずに片手で簡単に操作ができ、年々多機能化する家電製品にとどまらず様々な製品分野での用途に適用できる。
【図面の簡単な説明】
【００２７】
【図１】本発明の実施の形態におけるリモコン装置の構成図
【図２】本発明の実施の形態におけるリモコン装置の回転式の切換スイッチで選択する機能の二次元配列を示す図
【図３】本発明の実施の形態におけるテレビジョン受像機でのディスプレイ表示例を示す図
【図４】本発明の一般的な使用を想定した他の実施の形態を示す図
【符号の説明】
【００２８】
１  回転式の切換スイッチ
２、３、４、５  項目選択ボタン
６  ディスプレイ
１０  リモコン
４１  回転式の切換スイッチ
４２、４３、４４、４５  項目選択ボタン
３１  ディスプレイ
３２  制御項目
４０  リモコン
【図１】
2007519288.tif 000003
【図２】
2007519288.tif 000004
【図３】
2007519288.tif 000005
【図４】
2007519288.tif 000006
【国際調査報告】
2007519288.tif 000007
2007519288.tif 000008